(57)【要約】      （修正有）【課題】無許可の取り外しによる着脱式記憶媒体へのアクセスを防止する。【解決手段】ネットワーク接続記憶システム１００において、ネットワーク接続記憶装置１０１は、着脱式記憶媒体が、いつソケットに取り付けられたか、またはいつソケットから取り外されたかを、ホストコントローラが判定する。着脱式記憶媒体１６０のソケット１３０〜１３７からの取り外しが無許可によるものであると判定されると、取り外された着脱式記憶媒体内のＲＦ受信機に信号を送信し、それによって記憶媒体内のメモリを消去するか、または記憶媒体へのアクセスを無効化する。【選択図】図１
2019036293.tif 000002
【特許請求の範囲】
【請求項１】
ネットワーク接続記憶システム（１００）であって、
少なくとも１つの着脱式記憶媒体（１６０）であって、高周波（ＲＦ）受信機（１６３）及び記憶用メモリ（１６２）、並びに、前記ＲＦ受信機を介して適切な信号を受信した際に前記メモリの消去または前記メモリへのアクセスの無効化を行うための関連する回路（１６１）とを含む、少なくとも１つの着脱式記憶媒体（１６０）と、
少なくとも１つのソケット（１３０）であって、前記ソケットに関連する前記少なくとも１つの着脱式記憶媒体のうちのそれぞれ１つを受容するための少なくとも１つのソケット（１３０）と、
前記少なくとも１つのソケットのうちのそれぞれ１つに連結された少なくとも１つのホストコントローラ（１４０）であって、前記少なくとも１つの着脱式記憶媒体のうちのそれぞれ１つが、いつそれぞれの前記ソケットに取り付けられたか、またはいつそれぞれの前記ソケットから取り外されたかを、前記少なくとも１つのホストコントローラのそれぞれが判定する少なくとも１つのホストコントローラ（１４０）と、
外部ネットワークに連結するためのネットワークインターフェースコントローラ（１１１）と、
ＲＦ送信機（１７０）と、
前記少なくとも１つのホストコントローラのそれぞれ１つを介して前記少なくとも１つのソケットのそれぞれに、及び前記ネットワークインターフェースコントローラに、連結されたコントローラ（１１０）であって、前記コントローラは、前記着脱式記憶媒体が前記ソケット内に取り付けられているときに、前記ネットワークインターフェースコントローラを介して受信した読み出しコマンド及び書き込みコマンドに応答して、前記着脱式記憶媒体との間で、情報の読み出しと情報の書き込みを行い、前記コントローラは、前記着脱式記憶媒体から読み取ったまたは前記着脱式記憶媒体に書き込んだ前記情報に基づいて、前記受信したコマンドに対する応答を前記ネットワークインターフェースコントローラを介して提供し、前記コントローラは、前記少なくとも１つの着脱式記憶媒体のうちのそれぞれ１つが、いつそれぞれの前記ソケットに取り付けられたか、またはいつそれぞれの前記ソケットから取り外されたかを表す信号を、前記少なくとも１つのホストコントローラのそれぞれから受信し、前記コントローラは、前記少なくとも１つの着脱式記憶媒体のうちの１つがそれぞれの前記ソケットから取り外されているときには、前記取り外しが無許可によるものであったと判定し、前記少なくとも１つの着脱式記憶媒体のうちの取り外された１つの中にある前記ＲＦ受信機に送信するため、前記ＲＦ送信機に対して信号を送信し、それによって、少なくとも１つの前記着脱式記憶媒体のうちの取り外された１つの中にある前記メモリを消去するか、前記少なくとも１つの着脱式記憶媒体のうちの取り外された１つへのアクセスを無効化する、コントローラとを備える、ネットワーク接続記憶システム。
【請求項２】
前記少なくとも１つの着脱式記憶媒体がメモリカードである、請求項１に記載のシステム。
【請求項３】
前記メモリカードがセキュアデジタル（ＳＤ）カードである、請求項２に記載のシステム。
【請求項４】
前記少なくとも１つのホストコントローラのそれぞれがＳＤカードホストコントローラである、請求項３に記載のシステム。
【請求項５】
前記コントローラに連結されたキーパッド（１２１）をさらに備え、前記コントローラは、前記少なくとも１つの着脱式記憶媒体が、所定のセキュリティコードを前記キーパッドに入力することなしに関連する前記ソケットから取り外されたと判定することによって、前記少なくとも１つの着脱式記憶媒体の関連する前記ソケットからの取り外しが無許可によるものであったと判定する、請求項１または２に記載のシステム。
【請求項６】
請求項１、２、または５のいずれか一項に記載のシステムであって、
前記コントローラに連結されたキーパッド（１２１）と、
前記ソケットを覆うように構成されたアクセスドア（１０２）であって、閉鎖時には取り付けられた前記着脱式記憶媒体を覆い、開放時には取り付けられた前記着脱式記憶媒体へのアクセスを提供するように構成されたアクセスドア（１０２）と、
いつ前記アクセスドアが開放されたかを判定するために、前記コントローラに連結されたセンサ（１６５）とをさらに備え、
前記コントローラが、前記少なくとも１つの着脱式記憶媒体のそれぞれに送信される信号を生成し、それによって、所定のセキュリティコードを何ら前記キーパッドに入力することなしに前記アクセスドアが開放されたときに、前記記憶媒体の中のメモリを消去するか、または前記記憶媒体へのアクセスを無効化する、システム。
【請求項７】
前記コントローラに連結されたキーパッド（１２１）をさらに備えるシステムであって、
前記コントローラは、ユーザが誤ったセキュリティコードを所定の回数にわたって前記キーパッドに入力したときに、前記少なくとも１つの着脱式記憶媒体の全ての中のメモリを安全に消去する、請求項１、２、５、または６のいずれか一項に記載のシステム。
【請求項８】
ネットワーク接続記憶システム（１００）を操作する方法であって、
ネットワーク接続記憶システム内に設けられた関連するソケット（１３０−１３７）内に複数の着脱式記憶媒体（１６５）を取り付けることと、
前記着脱式記憶媒体内のメモリ（１６２）をフォーマットすることと、
フォーマットされた前記メモリとの間で情報を読み出しまたは書き込みするために前記ネットワーク接続記憶システムに連結された１つ以上のクライアント（１８０）から受信したコマンドに応答することと、
前記複数の着脱式記憶媒体のそれぞれのステータスをモニタリングすることと、
前記複数の着脱式記憶媒体のうちの１つ以上の、関連する前記ソケットからの取り外しを検出することと、
前記複数の着脱式記憶媒体のうちの１つ以上の、関連する前記ソケットからの前記取り外しが、無許可によるものであったと判定することと、
前記複数の着脱式記憶媒体のうちの取り外された前記１つ以上のもののそれぞれに対して送信される信号を生成し、それによって、前記記憶媒体内の前記メモリを消去するか、または前記記憶媒体へのアクセスを無効化することと、を含む方法。
【請求項９】
前記ネットワーク接続記憶装置（１０１）上に設けられたキーパッド（１２１）のステータスをモニタリングすることをさらに含み、
前記複数の着脱式記憶媒体の関連する前記ソケットからの前記取り外しが無許可によるものであったとの判定は、前記複数の着脱式記憶媒体のうちの１つ以上が所定のセキュリティコードを前記キーパッドに入力することなしに関連する前記ソケットから取り外されたと判定することによって実施される、請求項８に記載の方法。
【請求項１０】
ネットワーク接続記憶装置（１０１）上に設けられたキーパッド（１２１）のステータスをモニタリングすることと、
前記ネットワーク接続記憶装置上に、関連する前記ソケットを覆って設けられたアクセスドア（１０２）のステータスをモニタリングすることと、
前記複数の着脱式記憶媒体のそれぞれに送信される信号を生成し、それによって、所定のセキュリティコードを何ら前記キーパッドに入力することなしに前記アクセスドアが開放されたときに、前記記憶媒体の中の前記メモリを消去するかまたは前記記憶装置へのアクセスを無効化することと
をさらに含む、請求項８または９に記載の方法。
【発明の詳細な説明】
【技術分野】
【０００１】
本開示は、概して、安全な航空機搭載用ネットワーク接続記憶ノードを提供するシステム及び方法に関する。
【背景技術】
【０００２】
現在の航空機搭載用ネットワーク接続記憶装置（ＮＡＳ）のソリューションは、交換式記憶媒体として大型で高価な２．５”のソリッドステートドライブ（ＳＳＤ）を用いる。ネットワーク接続記憶装置のソリューションにおけるＳＳＤの使用は、航空機の環境において数々の課題を提示しており、それらの課題には、消費電力が著しいこと、フォームファクタが大きいこと、及び接続／接続解除が容易ではない、ホストコンピュータへの接続のための電気的インターフェースが含まれる。
【０００３】
その結果、上記の問題を克服するシステム及び方法が必要とされている。
【発明の概要】
【０００４】
第１の態様では、ネットワーク接続記憶システムは、少なくとも１つの着脱式（ｒｅｍｏｖａｂｌｅ）記憶媒体を有する。少なくとも１つの着脱式記憶媒体は、高周波（ＲＦ）受信機及び記憶用メモリ、並びに、ＲＦ受信機を介して適切な信号を受信した際にメモリの消去またはメモリへのアクセスの無効化を行うための、関連する回路を含む。少なくとも１つのソケットが、このソケットに関連する、少なくとも１つの着脱式記憶媒体のうちのそれぞれ１つを受容している。少なくとも１つのホストコントローラが、少なくとも１つのソケットのうちのそれぞれ１つに連結されている。少なくとも１つの着脱式記憶媒体のうちのそれぞれ１つが、いつそれぞれのソケットに取り付けられたか、またはいつそれぞれのソケットから取り外されたかを、少なくとも１つのホストコントローラのそれぞれが判定する。ネットワークインターフェースコントローラが、ネットワーク接続記憶システムを外部ネットワークに連結する。コントローラに、ＲＦ送信機が連結されている。コントローラは、少なくとも１つのホストコントローラのうちのそれぞれ１つを介して少なくとも１つのソケットのそれぞれに、及びネットワークインターフェースコントローラに、連結されている。コントローラは、着脱式記憶媒体がソケット内に取り付けられているときに、ネットワークインターフェースコントローラを介して受信した読み出しコマンド及び書き込みコマンドに応答して、着脱式記憶媒体との間で情報の読み出しと情報の書き込みを行う。コントローラは、着脱式記憶媒体から読み取ったまたは着脱式記憶媒体に書き込んだ情報に基づいて、受信したコマンドに対する応答をネットワークインターフェースコントローラを介して提供する。コントローラは、少なくとも１つの着脱式記憶媒体のうちのそれぞれ１つが、いつそれぞれのソケットに取り付けられたか、またはいつそれぞれのソケットから取り外されたかを表す信号を、少なくとも１つのホストコントローラのそれぞれから受信する。少なくとも１つの着脱式記憶媒体のうちの１つがそれぞれのソケットから取り外されているときには、コントローラは、この取り外しが無許可によるものであったと判定し、少なくとも１つの着脱式記憶媒体のうちの取り外された１つの中にあるＲＦ受信機に送信するため、ＲＦ送信機に対して信号を送信する。それによって、少なくとも１つの着脱式記憶媒体のうちの取り外された１つの中にあるメモリを消去するか、少なくとも１つの着脱式記憶媒体のうちの取り外されたものへのアクセスを無効化する。
【０００５】
さらなる実施形態では、少なくとも１つの着脱式記憶媒体は、メモリカードであってよい。メモリカードは、セキュアデジタル（ＳＤ）カードであってよい。さらに、少なくとも１つのホストコントローラのそれぞれは、ＳＤカードホストコントローラであってよい。
【０００６】
別のさらなる実施形態では、ネットワーク接続記憶システムは、コントローラに連結されたキーパッドを有していてよく、コントローラは、少なくとも１つの着脱式記憶媒体が、所定のセキュリティコードをキーパッドに入力することなしに関連するソケットから取り外されたと判定することによって、少なくとも１つの着脱式記憶媒体の、関連するソケットからの取り外しが、無許可によるものであったと判定してよい。
【０００７】
さらに別の実施形態では、ネットワーク接続記憶システムは、コントローラに連結されたキーパッドと、ソケットを覆うように構成されたアクセスドアであって、閉鎖時には取り付けられた着脱式記憶媒体を覆い、開放時には取り付けられた着脱式記憶媒体へのアクセスを提供するように構成されたアクセスドアと、いつアクセスドアが開放されたかを判定するために、コントローラに連結されたセンサとを有していてよい。この実施形態では、コントローラは、少なくとも１つの着脱式記憶媒体のそれぞれに送信される信号を生成してよく、それによって、所定のセキュリティコードを何らキーパッドに入力することなしにアクセスドアが開放されたときに、記憶媒体の中のメモリを消去するか、または記憶媒体へのアクセスを無効化する。
【０００８】
さらなる実施形態によると、ネットワーク接続記憶システムは、コントローラに連結されたキーパッドを有していてよい。この実施形態では、コントローラは、ユーザが誤ったセキュリティコードを所定の回数にわたってキーパッドに入力したときに、少なくとも１つの着脱式記憶媒体の全ての中のメモリを安全に消去してよい。
【０００９】
別のさらなる実施形態では、ネットワーク接続記憶システムは、ステータス情報またはコマンド情報をユーザに提供するためにコントローラに連結された、ディスプレイを有する。
【００１０】
第２の態様では、ネットワーク接続記憶システムは、少なくとも１つの着脱式記憶媒体を有する。少なくとも１つの着脱式記憶媒体は、高周波（ＲＦ）受信機及び記憶用メモリ、並びに、ＲＦ受信機を介して適切な信号を受信した際にメモリの消去またはメモリへのアクセスの無効化を行うための、関連する回路を含む。少なくとも１つのソケットが、このソケットに関連する、少なくとも１つの着脱式記憶媒体のうちのそれぞれ１つを受容している。１つのホストコントローラが、少なくとも１つのソケットのそれぞれに連結されている。少なくとも１つの着脱式記憶媒体のうちのそれぞれ１つが、いつそれぞれのソケットに取り付けられたか、またはいつそれぞれのソケットから取り外されたかを、ホストコントローラが判定する。ネットワークインターフェースコントローラが、ネットワーク接続記憶システムを外部ネットワークに連結する。コントローラに、ＲＦ送信機が連結されている。コントローラは、ホストコントローラを介して少なくとも１つのソケットのそれぞれに、及びネットワークインターフェースコントローラに、連結されている。コントローラは、着脱式記憶媒体がソケット内に取り付けられているときに、ネットワークインターフェースコントローラを介して受信した読み出しコマンド及び書き込みコマンドに応答して、着脱式記憶媒体との間で情報の読み出しと情報の書き込みを行う。コントローラは、着脱式記憶媒体から読み取ったまたは着脱式記憶媒体に書き込んだ情報に基づいて、受信したコマンドに対する応答をネットワークインターフェースコントローラを介して提供する。コントローラは、少なくとも１つの着脱式記憶媒体のうちの関連する１つが、いつそれぞれのソケットに取り付けられたか、またはいつそれぞれのソケットから取り外されたかを表す信号を、少なくとも１つのホストコントローラのそれぞれから受信する。少なくとも１つの着脱式記憶媒体のうちの１つがそれぞれのソケットから取り外されているときには、コントローラは、この取り外しが無許可によるものであったと判定し、少なくとも１つの着脱式記憶媒体のうちの取り外された１つの中にあるＲＦ受信機に送信するため、ＲＦ送信機に対して信号を送信する。それによって、少なくとも１つの着脱式記憶媒体のうちの取り外された１つの中にあるメモリを消去するか、少なくとも１つの着脱式記憶媒体のうちの取り外されたものへのアクセスを無効化する。
【００１１】
さらなる実施形態では、少なくとも１つの着脱式記憶媒体は、ユニバーサルシリアルバス（ＵＳＢ）フラッシュドライブであってよく、ホストコントローラは、ＵＳＢハブであってよい。
【００１２】
第３の態様では、ネットワーク接続記憶システムの操作方法は、第１に、ネットワーク接続記憶システム内に設けられた関連するソケットの中に、複数の着脱式記憶媒体を取り付ける。次に、着脱式記憶媒体内のメモリがフォーマットされる。次に、フォーマットされたメモリとの間で情報の読み出しと情報の書き込みを行うために、ネットワーク接続記憶システムに連結された１つ以上のクライアントから受信したコマンドに対して、応答が提供される。複数の着脱式記憶媒体のそれぞれのステータスが、モニタリングされる。複数の着脱式記憶媒体のうちの１つ以上の、関連するソケットからの取り外しが検出される。次に、この複数の着脱式記憶媒体のうちの１つ以上の、関連するソケットからの取り外しが、無許可によるものであったことが判定される。最後に、複数の着脱式記憶媒体のうちの取り外された１つ以上のそれぞれに対して送信され、それによって記憶媒体の中のメモリを消去するか記憶媒体へのアクセスを無効化する信号が、生成される。
【００１３】
さらなる一実施形態では、ネットワーク接続記憶システム上に設けられたキーパッドのステータスがモニタリングされ、複数の着脱式記憶媒体の関連するソケットからの取り外しが無許可によるものであったとの判定は、この複数の着脱式記憶媒体のうちの１つ以上が所定のセキュリティコードをキーパッドに入力することなしに関連するソケットから取り外されたと判定することによって、実施されてよい。
【００１４】
別のさらなる実施形態では、ネットワーク接続記憶システム上に設けられたキーパッドのステータスがモニタリングされ、ネットワーク接続記憶システム上に、関連するソケットを覆って設けられたアクセスドアのステータスがモニタリングされる。所定のセキュリティコードを何らキーパッドに入力することなしにアクセスドアが開放されたときに、複数の着脱式記憶媒体のそれぞれに送信され、それによって、記憶媒体の中のメモリを消去するか、または記憶媒体へのアクセスを無効化する信号が生成される。
【００１５】
上記で検討された特徴、機能及び利点は、様々な実施形態で独立して実現することが可能であり、また別の実施形態において組み合わせられてもよい。これらの実施形態については、以下の説明および図面を参照してさらに詳細に説明する。
【００１６】
以下の詳細説明は、例として示すものであり、本開示をこの説明のみに限定することを意図したものではない。この詳細説明は、添付図面を併用することによって最もよく理解されるだろう。
【図面の簡単な説明】
【００１７】
【図１】本開示の一実施形態による、航空機搭載用ネットワーク接続記憶ノードのシステムの概略図である。
【図２】本開示の一実施形態による、航空機搭載用ネットワーク接続記憶ノードのシステムの図である。
【図３】本開示の一実施形態による、航空機搭載用ネットワーク接続記憶ノードの方法のフローチャートである。
【発明を実施するための形態】
【００１８】
本開示では、図面全体を通じて、類似の参照番号は類似の要素を表している。これらの図面は、本開示の様々な例示的実施形態を示すものである。
【００１９】
民間航空機では、しばしば、特定の機密情報、例えばルート（ｒｏｏｔ）レベルの証明書を、ネットワーク接続記憶装置に記憶する必要がある。こうした装置には、既存の記憶媒体を更新情報を含む新規の記憶媒体と交換することによって、機密情報を容易に更新できる、着脱式記憶媒体が好適である。航空機搭載用ネットワーク接続記憶ノードのシステム及び方法は、セキュアデジタル（ＳＤ）カードといった、着脱式フラッシュベースメモリカードの形態の着脱式媒体を使用する、航空機上での使用に適切なネットワーク接続記憶装置を提供する。ＳＤカードが最も広く使用されるメモリカードになっているし、本開示では着脱式記憶媒体としてＳＤカードを有するシステム及び方法が記載されているが、代替実施形態では、あらゆるタイプの着脱式メモリカードが使用されてよい。加えて、別の代替実施形態では、着脱式記憶媒体として、フラッシュメモリカードの代わりにＵＳＢフラッシュドライブが使用されてよい。さらに、選択されるメモリカード（またはＵＳＢフラッシュドライブ）は、高周波（ＲＦ）受信機及び、遠隔のＲＦ送信機からＲＦ信号を受信するのを受けて、メモリカード（またはＵＳＢフラッシュドライブ）を自動的に消去する（または他の態様でメモリを読み出し不能にする）ことができる、関連する回路を含んでいてよい。
【００２０】
ここで図１を参照すると、ネットワーク接続記憶システム１００が概略図で示されており、ネットワーク接続記憶機器１０１及び１つ以上のメモリカード１６０が含まれている。ネットワーク接続記憶機器１０１は、４つのネットワークインターフェースコントローラ（ＮＩＣ）１１１、１１２、１１３、１１４に連結されたコントローラ１１０を含む。図１には４個のＮＩＣが示されているが、この数は任意であり、具体的な用途による。ＮＩＣの最小数は１であり、所望であれば、４個を超えるＮＩＣが存在し得る。各ＮＩＣ１１１、１１２、１１３、１１４は、別々の関連するネットワークジャック１１５、１１６、１１７、１１８に連結されている。各ネットワークジャック１１５、１１６、１１７、１１８は、好ましくは、レジスタードジャック４５（ＲＪ−４５）のイーサネットジャックであるが、別のタイプのネットワークが使われている場合には、他のタイプのジャックであってよい。実施の際、ＮＩＣ１１１は、例えば航空機のネットワーク１７５を介してクライアント１８０に連結されていてよい。コントローラ１１０は、ディスプレイ１２０及びキーパッド１２１にもまた連結されている。ディスプレイ１２０及びキーパッド１２１はオプションであり、例えば、着脱式媒体に関する特定のステータス情報を取得するためと、ユーザへのコマンドデータ（即ち、特定のメモリカードをいつ挿入するかまたは取り外すか）を提供するために、使用されてよい。ネットワーク接続記憶機器１０１は、８個のソケット１３０−１３７を含む。ソケット１３０−１３７のそれぞれは、関連するメモリカードを受容し、関連するホストコントローラ１４０−１４７に連結するためのものである。ソケット１３０−１３７内にメモリカードが取り付けられた後、ソケット１３０−１３７を覆うために、アクセスドア１０２が設けられていてよい。ホストコントローラ１４０−１４３が、第１のＵＳＢハブ１５０を介してコントローラ１１０に連結されており、ホストコントローラ１４４−１４７が、第２のＵＳＢハブ１５１を介してコントローラ１１０に連結されている。ホストコントローラ１４０−１４７のそれぞれは、当該技術分野で既知である、特定の別々の保護ラインを介してコントローラ１１０に連結されていてもよい。コントローラ１１０には、ＲＦ送信機１７０もまた連結されていてよい。ＲＦ送信機１７０は、ネットワーク接続記憶機器１０１で使用するために選択されるメモリカード内にオプションで含まれる、ＲＦ受信機１６３と通信するためのものである。図１に示しているように、メモリカード１６０は通常、メモリ１６２に連結されたメモリコントローラ１６１を含む。メモリカード１６０に、ＲＦ受信機１６３が追加されてよい。具体的には、コントローラ１１０は、ソケット１３０−１３７内に取り付けられたメモリカードの、あらゆる無許可による取り外しを検出し、次いでＲＦ送信機１７０を介して、取り外されたメモリカード（単数または複数）上のＲＦ受信機１６３に対して信号を送信することによって、メモリカード上に含まれるすべての情報をメモリカードに自動的に消去させる（または、メモリカードを読み出し不能にするためのあらゆる他の動作を取らせる）ように構成されていてよい。これは、例えば、メモリカード１６０上のメモリコントローラ１６１によって実施される。例えば、メモリカードを取り外すためにセキュリティコードが要求（キーパッド１２１経由で入力）されてよい。このセキュリティコードを入力することなしにメモリカードが取り外されたときには、コントローラ１１０は、取り外されたメモリカードを消去するかまたはメモリカード内のメモリへのアクセスを無効化する信号を、（ＲＦ送信機１７０を介して）送信する。これによって、メモリカードに記憶されている情報に対する、さらなるレベルのセキュリティが提供される。別のさらなる実施形態では、いつアクセスドア１０２が開放されたかを判定するセンサ１６５が、コントローラ１１０に連結されている。コントローラ１１０はさらに、（例えばセンサ１６５の状態を介して）アクセスドア１０２のステータスをモニタリングし、且つ所定のセキュリティコードがキーパッドに入力されることなしにアクセスドア１０２が開放されたときに、全てのメモリカード上のメモリを消去するかまたはメモリへのアクセスを無効化する信号を送信するように構成されていてよい。
【００２１】
図１では、ソケット１３０−１３７のそれぞれは、セキュリティデジタル拡張容量（ＳＤＸＣ）カードを受容するためのものであり、各ホストコントローラ１４０−１４７は、ＵＳＢ  ｔｏ  ＳＤＸＣのコントローラ（即ちＳＤカードホストコントローラの一種）である。代替実施形態では、ホストコントローラ１４０−１４７は、ＵＳＢ以外のバストポロジー、例えば周辺機器相互接続エクスプレス（ＰＣＩｅ）規格によるバスを介して、コントローラ１１０に連結されていてよい。さらに、上記で検討したように、使用する記憶媒体として、ＳＤカードの代わりに他のタイプのメモリカードが選択されてよく、選択された特定のタイプのメモリカードを受容するため、ソケット１３０−１３６が選ばれてよい。同様に、ホストコントローラ１４０−１４７もまた、選択された特定のタイプのメモリカードにマッチするように選択される。最後に、使用するメモリ記憶媒体としてＵＳＢメモリスティックが選択された場合には、ソケット１３０−１３７はＵＳＢソケットであるだろうし、ソケット１３０−１３７が関連するＵＳＢハブ１５０または１５１に直接連結されて、ホストコントローラ１４０−１４７は省略されていてよい。
【００２２】
実施の際、コントローラ１１０は、メモリアレイと外部ネットワークサーバとの両方に対して管理インターフェースを提供するコントローラであることが好ましい。具体的には、コントローラ１１０は、ソケット１３０−１３７内に取り付けられたメモリカードによって設けられた記憶容量を管理する。この管理には、これらのメモリカード上に設けられたメモリ間に、独立ディスク冗長アレイ（ＲＡＩＤ）構成を確立することが含まれる。加えて、コントローラ１１０は、ＮＩＣ１１１−１１４のうちの任意の１つを介して、メモリの読み出し要求及び書き込み要求を受信して処理する。コントローラ１１０は、メモリカード上のメモリとの間で記憶または読み出しを行うデータの、暗号化（書き込まれるデータの場合）及び複号化（読み出されるデータの場合）もまた行ってよい。ネットワーク接続記憶機器１０１は、ネットワークを介して（ＮＩＣ１１１−１１４のうちの１つ以上を介して）、航空機搭載用のサーバ（図示せず）に、安全な態様で、即ちセキュリティ鍵を用いて、連結されていることが望ましい。コントローラ１１０はまた、ユーザがメモリカードを取り外そうとしてキーパッド１２１に繰り返しセキュリティコードを誤って入力したときにはいつでも、メモリに記憶された情報を安全に消去（例えば、繰り返して上書き）するようにも、構成されていてよい。
【００２３】
ここで図２を参照すると、ネットワーク接続記憶機器１０１が、ＳＤカードを受容するためのスロット２００−２０７と共に示されている。ＳＤカード２１０がスロット２００に挿入されようとしている状態で示されており、複数のＳＤカードが既に各スロット２０１−２０７に挿入された状態で示されている。各スロット２００−２０７は、近くに配置された関連する表示灯２２０−２２７を有していてよい。スロット２００−２０７のそれぞれは、関連するメモリカードソケット、即ち図１のソケット１３０−１３７へのアクセスを提供している。各表示灯２２０−２２７は、メモリカードが関連するスロット２００−２０７内に存在し、正常に作動していることを表す。さらなる実施形態では、表示灯２２０−２２７はそれぞれ種々の色を有していてよく、さらなる色が、メモリカードに不具合があるか、またはメモリカードにセキュリティ上の問題があることを表してよい。ネットワーク接続記憶機器１０１は、ディスプレイ１２０及びキーパッド１２１もまた含んでいることが望ましい。ディスプレイ１２０及びキーパッド１２１は、上記で検討されたように、ユーザがステータス情報とコマンドを取得するために使用される。
【００２４】
ここで、図３のフローチャート３００を参照すると、最初のステップ３１０で、メモリカード（またはＵＳＢフラッシュドライブ）が、図１及び図２に示すネットワーク接続記憶機器１０１内の適切なスロット内に取り付けられる。次に、ステップ３２０で、コントローラ１１０（図１）は、いつメモリカード（またはＵＳＢフラッシュドライブ）が取り付けられたかを、自動的に、またはキーパッド１２１を経由して入力されたコマンドを介して、のいずれかによって検出し、ネットワーク接続記憶装置として使うため、メモリを例えばＲＡＩＤフォーマットにフォーマットする。メモリカード（またはＵＳＢフラッシュドライブ）上のメモリがフォーマットされると、ステップ３３０で、コントローラ１１０は、ネットワーク接続記憶機器１０１に連結されたクライアント１８０から、航空機ネットワーク１７５及びＮＩＣ１１１−１１４のうちの１つを介して受信した、読み出し及び／または書き込みコマンド（または他のＮＡＳコマンド）を受信し、このコマンドに応答する。上記で検討したように、コントローラ１１０は、メモリとの間で情報の読み出し及び書き込みを行う際に、暗号化／複号化を実行してよい。コントローラ１１０は、ステップ３４０で、メモリカード（またはＵＳＢフラッシュドライブ）及びキーパッド１２１のステータスのモニタリングも行い、ステップ３５０で、いずれかのメモリカード（またはＵＳＢフラッシュドライブ）が取り外されたかどうかを判定する。いずれのメモリカード（またはＵＳＢフラッシュドライブ）も取り外されていない場合、プロセスはステップ３３０に戻る。１つ以上のメモリカード（またはＵＳＢフラッシュドライブ）が取り外されていた場合、ステップ３６０で、コントローラ１１０は、こうした取り外しが許可によるものであったか（例えば、取り外しに先立って所定のセキュリティコードがキーパッドに入力されたか）を判定する。取り外しが許可によるものであった場合、プロセスはステップ３１０に戻り、取り外された１つ以上のメモリカード（またはフラッシュドライブ）の交換を待つ。取り外しが無許可によるものであった場合、プロセスはステップ３７０に進む。プロセス３７０では、コントローラ１１０は、取り外された１つ以上のメモリカード（またはＵＳＢフラッシュドライブ）にＲＦ送信機１７０を介して送信される信号を生成し、それによって取り外された１つ以上のメモリカード（またはＵＳＢフラッシュドライブ）を消去する（か、または他の方法で使用不能もしくは読み出し不能にする）。ステップ３７０が完了すると、プロセスはステップ３１０に進み、取り外された１つ以上のメモリカード（またはフラッシュドライブ）の交換を待つ。
【００２５】
ネットワーク接続記憶システム１００は、記憶媒体に小さいフォームファクタのフラッシュメモリカードを使用することによって、小型パッケージによる安全な記憶装置のソリューションを提供し、それによって開発コストを削減し、耐久性を高めた記憶媒体を提供する。加えて、業界標準の記憶媒体（例えばＳＤカード）を使用することによって、技術の進展と共に、現在と将来の両方の記憶密度オプションが向上する。具体的には、ネットワーク接続記憶システム１００によって提供される記憶容量は、メモリカード（またはＵＳＢフラッシュドライブ）の記憶容量現在の最先端技術に直接リンクしており、ネットワーク接続記憶システム１００の潜在的な記憶密度は、その技術における記憶密度が向上するのにつれて、直線的に増大するであろう。
【００２６】
さらに、本開示は以下の条項による実施形態を含む。
【００２７】
条項１．ネットワーク接続記憶システムであって、少なくとも１つの着脱式記憶媒体を備え、少なくとも１つの着脱式記憶媒体は、高周波（ＲＦ）受信機及び記憶用メモリ、並びに、ＲＦ受信機を介して適切な信号を受信した際にメモリの消去またはメモリへのアクセスの無効化を行うための関連する回路と、少なくとも１つのソケットであって、このソケットに関連する少なくとも１つの着脱式記憶媒体のうちのそれぞれ１つを受容するための少なくとも１つのソケットと、少なくとも１つのソケットのうちのそれぞれ１つに連結された少なくとも１つのホストコントローラであって、少なくとも１つの着脱式記憶媒体のうちのそれぞれ１つが、いつそれぞれのソケットに取り付けられたか、またはいつそれぞれのソケットから取り外されたかを、少なくとも１つのホストコントローラのそれぞれが判定する少なくとも１つのホストコントローラと、外部ネットワークに連結するためのネットワークインターフェースコントローラと、ＲＦ送信機と、少なくとも１つのホストコントローラのうちのそれぞれ１つを介して少なくとも１つのソケットのそれぞれに、及びネットワークインターフェースコントローラに、連結されたコントローラであって、コントローラは、着脱式記憶媒体がソケット内に取り付けられているときに、ネットワークインターフェースコントローラを介して受信した読み出しコマンド及び書き込みコマンドに応答して、着脱式記憶媒体との間で情報の読み出しと情報の書き込みを行い、前記コントローラは、着脱式記憶媒体から読み取ったまたは着脱式記憶媒体に書き込んだ情報に基づいて、受信したコマンドに対する応答をネットワークインターフェースコントローラを介して提供し、前記コントローラは、少なくとも１つの着脱式記憶媒体のうちのそれぞれ１つが、いつそれぞれのソケットに取り付けられたか、またはいつそれぞれのソケットから取り外されたかを表す信号を、少なくとも１つのホストコントローラのそれぞれから受信し、前記コントローラは、少なくとも１つの着脱式記憶媒体のうちの１つがそれぞれのソケットから取り外されているときには、この取り外しが無許可によるものであったと判定し、少なくとも１つの着脱式記憶媒体のうちの取り外された１つの中にあるＲＦ受信機に送信するため、ＲＦ送信機に対して信号を送信し、それによって、少なくとも１つの着脱式記憶媒体のうちの取り外された１つの中にあるメモリを消去するか、少なくとも１つの着脱式記憶媒体のうちの取り外された１つへのアクセスを無効化する、コントローラとを含む、ネットワーク接続記憶システム。
【００２８】
条項２．少なくとも１つの着脱式記憶媒体がメモリカードである、条項１に記載のシステム。
【００２９】
条項３．メモリカードがセキュアデジタル（ＳＤ）カードである、条項２に記載のシステム。
【００３０】
条項４．少なくとも１つのホストコントローラのそれぞれがＳＤカードホストコントローラである、条項３に記載のシステム。
【００３１】
条項５．コントローラに連結されたキーパッドをさらに含み、コントローラは、少なくとも１つの着脱式記憶媒体が、所定のセキュリティコードをキーパッドに入力することなしに関連するソケットから取り外されたと判定することによって、少なくとも１つの着脱式記憶媒体の、関連するソケットからの取り外しが無許可によるものであったと判定する、条項１に記載のシステム。
【００３２】
条項６．システムであって、コントローラに連結されたキーパッドと、ソケットを覆うように構成されたアクセスドアであって、閉鎖時には取り付けられた着脱式記憶媒体を覆い、開放時には取り付けられた着脱式記憶媒体へのアクセスを提供するように構成されたアクセスドアと、いつアクセスドアが開放されたかを判定するために、コントローラに連結されたセンサとをさらに備え、コントローラが、少なくとも１つの着脱式記憶媒体のそれぞれに送信される信号を生成し、それによって、所定のセキュリティコードを何らキーパッドに入力することなしにアクセスドアが開放されたときに、記憶媒体の中のメモリを消去するか、または記憶媒体へのアクセスを無効化する、条項１に記載のシステム。
【００３３】
条項７．コントローラに連結されたキーパッドをさらに備えるシステムであって、コントローラは、ユーザが誤ったセキュリティコードを所定の回数にわたってキーパッドに入力したときに、少なくとも１つの着脱式記憶媒体の全ての中のメモリを安全に消去する、条項１に記載のシステム。
【００３４】
条項８．ユーザにステータス状況を提供するために、コントローラに連結されたディスプレイをさらに備える、条項１に記載のシステム。
【００３５】
条項９．ユーザにコマンド情報を提供するために、コントローラに連結されたディスプレイをさらに備える、条項１に記載のシステム。
【００３６】
条項１０．ネットワーク接続記憶システムであって、少なくとも１つの着脱式記憶媒体を備え、少なくとも１つの着脱式記憶媒体は、高周波（ＲＦ）受信機及び記憶用メモリ、並びに、ＲＦ受信機を介して適切な信号を受信した際にメモリの消去またはメモリへのアクセスの無効化を行うための関連する回路と、少なくとも１つのソケットであって、このソケットに関連する少なくとも１つの着脱式記憶媒体のうちのそれぞれ１つを受容するための少なくとも１つのソケットと、少なくとも１つのソケットのそれぞれに連結されたホストコントローラであって、少なくとも１つの着脱式記憶媒体のうちのそれぞれ１つが、いつそれぞれのソケットに取り付けられたか、またはいつそれぞれのソケットから取り外されたかを判定するホストコントローラと、外部ネットワークに連結するためのネットワークインターフェースコントローラと、ＲＦ送信機と、ホストコントローラを介して少なくとも１つのソケットのそれぞれに、及びネットワークインターフェースコントローラに、連結されたコントローラであって、コントローラは、着脱式記憶媒体がソケット内に取り付けられているときに、ネットワークインターフェースコントローラを介して受信した読み出しコマンド及び書き込みコマンドに応答して、着脱式記憶媒体との間で、情報の読み出しと情報の書き込みを行い、前記コントローラは、着脱式記憶媒体から読み取ったまたは着脱式記憶媒体に書き込んだ情報に基づいて、受信したコマンドに対する応答をネットワークインターフェースコントローラを介して提供し、前記コントローラは、少なくとも１つの着脱式記憶媒体のうちのそれぞれ１つが、いつそれぞれのソケットに取り付けられたか、またはいつそれぞれのソケットから取り外されたかを表す信号を、ホストコントローラから受信し、前記コントローラは、少なくとも１つの着脱式記憶媒体のうちの１つがそれぞれのソケットから取り外されているときには、この取り外しが無許可によるものであったと判定し、少なくとも１つの着脱式記憶媒体のうちの取り外された１つの中にあるＲＦ受信機に送信するため、ＲＦ送信機に対して信号を送信し、それによって、少なくとも１つの着脱式記憶媒体のうちの取り外された１つの中にあるメモリを消去するか、少なくとも１つの着脱式記憶媒体のうちの取り外された１つへのアクセスを無効化する、コントローラとを含む、ネットワーク接続記憶システム。
【００３７】
条項１１．少なくとも１つの着脱式記憶媒体がＵＳＢフラッシュドライブである、条項１０に記載のシステム。
【００３８】
条項１２．ホストコントローラがＵＳＢハブである、条項１１に記載のシステム。
【００３９】
条項１３．コントローラに連結されたキーパッドをさらに備え、コントローラは、少なくとも１つの着脱式記憶媒体が、所定のセキュリティコードをキーパッドに入力することなしに関連するソケットから取り外されたと判定することによって、少なくとも１つの着脱式記憶媒体の、関連するソケットからの取り外しが無許可によるものであったと判定する、条項１０に記載のシステム。
【００４０】
条項１４．システムであって、コントローラに連結されたキーパッドと、ソケットを覆うように構成されたアクセスドアであって、閉鎖時には取り付けられた着脱式記憶媒体を覆い、開放時には取り付けられた着脱式記憶媒体へのアクセスを提供するように構成されたアクセスドアと、いつアクセスドアが開放されたかを判定するために、コントローラに連結されたセンサとをさらに備え、コントローラが、少なくとも１つの着脱式記憶媒体のそれぞれに送信される信号を生成し、それによって、所定のセキュリティコードを何らキーパッドに入力することなしにアクセスドアが開放されたときに、記憶媒体の中のメモリを消去するか、または記憶媒体へのアクセスを無効化する、条項１０に記載のシステム。
【００４１】
条項１５．コントローラに連結されたキーパッドをさらに備えるシステムであって、コントローラは、ユーザが誤ったセキュリティコードを所定の回数にわたってキーパッドに入力したときに、少なくとも１つの着脱式記憶媒体の全ての中のメモリを安全に消去する、条項１０に記載のシステム。
【００４２】
条項１６．ユーザにステータス状況を提供するために、コントローラに連結されたディスプレイをさらに備える、条項１０に記載のシステム。
【００４３】
条項１７．ユーザにコマンド情報を提供するために、コントローラに連結されたディスプレイをさらに備える、条項１０に記載のシステム。
【００４４】
条項１８．ネットワーク接続記憶システムを操作する方法であって、ネットワーク接続記憶機器内に設けられた関連するソケット内に複数の着脱式記憶媒体を取り付けることと、着脱式記憶媒体内のメモリをフォーマットすることと、フォーマットされたメモリとの間で情報の読み出しと情報の書き込みを行うためにネットワーク接続記憶システムに連結された１つ以上のクライアントから受信したコマンドに対して応答することと、複数の着脱式記憶媒体のそれぞれのステータスをモニタリングすることと、複数の着脱式記憶媒体のうちの１つ以上の、関連するソケットからの取り外しを検出することと、この複数の着脱式記憶媒体のうちの１つ以上の、関連するソケットからの取り外しが、無許可によるものであったと判定することと、複数の着脱式記憶媒体のうちの取り外された１つ以上のそれぞれに対して送信される信号を生成し、それによって記憶媒体の中のメモリを消去するか記憶媒体へのアクセスを無効化することと、を含む方法。
【００４５】
条項１９．ネットワーク接続記憶装置上に設けられたキーパッドのステータスをモニタリングすることをさらに含み、複数の着脱式記憶媒体のうちの１つ以上の関連するソケットからの取り外しが無許可によるものであったとの判定は、この複数の着脱式記憶媒体のうちの１つ以上が所定のセキュリティコードをキーパッドに入力することなしに関連するソケットから取り外されたと判定することによって実施される、条項１８に記載の方法。
【００４６】
条項２０．ネットワーク接続記憶装置上に設けられたキーパッドのステータスをモニタリングすることと、ネットワーク接続記憶装置上に、関連するソケットを覆って設けられたアクセスドアのステータスをモニタリングすることと、複数の着脱式記憶媒体のそれぞれに送信される信号を生成し、それによって、所定のセキュリティコードを何らキーパッドに入力することなしにアクセスドアが開放されたときに、記憶媒体の中のメモリを消去するかまたは記憶媒体へのアクセスを無効化することとをさらに含む、条項１８に記載の方法。
【００４７】
本開示は、好ましい実施形態及びそれらの様々な態様を参照して具体的に示され記載されているが、本開示の精神及び範囲を逸脱することなく、様々な変更や修正がなされ得るということは、当業者には理解されるであろう。添付の特許請求の範囲は、本明細書に記載の実施形態、上記の代替形態、及びそれらの均等物全てを含むものと解釈されることが意図されている。
【図１】
2019036293.tif 000003
【図２】
2019036293.tif 000004
【図３】
2019036293.tif 000005
【外国語明細書】
2019036293000001.pdf
2019036293000002.pdf
2019036293000003.pdf
2019036293000004.pdf